(57)【要約】縫合糸または靭帯のための骨アンカーは、長手方向軸（Ａ）に沿って延在する本体（２）であって、フォーク状の端部（４）を有する本体（２）を備える。端部（４）は、各々が拘束端（５ａ、６ａ）と自由端（５ｂ、６ｂ）との間に延在し且つ縫合糸（Ｓ）または靭帯を受け入れるための軸方向スリット（７）によって互いに間隔を置いて配置された第１のフォークアーム（５）および第２のフォークアーム（６）を備える。第１のフォークアーム（５）および第２のフォークアーム（６）は、それらの拘束端（５ａ、６ａ）において、縫合糸（Ｓ）または靭帯のための２つの軸方向の保持ショルダー（８ａ、９ａ）を規定する横方向のノッチ（８、９）を有する。
2021536334.tif 000002
【特許請求の範囲】
【請求項１】
長手方向軸（Ａ）に沿って延在する本体（２）であって、フォーク状の端部（４）を有する本体（２）を備える、縫合糸または靭帯のための骨アンカーであって、
前記端部（４）は、各々が拘束端（５ａ、６ａ）と自由端（５ｂ、６ｂ）との間に延在し且つ縫合糸（Ｓ）または靭帯を受け入れるための軸方向スリット（７）によって互いに間隔を置いて配置された第１のフォークアーム（５）および第２のフォークアーム（６）を備え、
前記第１のフォークアーム（５）および第２のフォークアーム（６）は、それらの拘束端（５ａ、６ａ）において、前記縫合糸（Ｓ）または靭帯のための２つの軸方向の保持ショルダー（８ａ、９ａ）を規定する横方向のノッチ（８、９）を有し、
前記第１のアーム（５）および第２のアーム（６）は、「Ｌ」または「Ｊ」構造を有する、骨アンカー。
【請求項２】
前記第１のアーム（５）および前記第２のアーム（６）はそれぞれ、第１の側縁部（１０）と第２の側縁部（１１）が互いに向き合うように、前記第１の側縁部（１０）と前記第２の側縁部（１１）との間で前記長手方向軸（Ａ）を横切って延在しており、
前記第１のアーム（５）の前記横方向のノッチ（８）は、前記第１の側縁部（１０）から前記第２の側縁部（１１）の方向に延在しており、
前記第２のアーム（６）の前記横方向のノッチ（９）は、前記第２の側縁部（１１）から前記第１の側縁部（１０）の方向に延在している、請求項１に記載の骨アンカー。
【請求項３】
前記本体（２）が、前記第１のアーム（５）および前記第２のアーム（６）の前記拘束端（５ａ、６ａ）から離れるように延びる一対の長手方向溝であって、前記軸方向スリット（７）から突出する縫合糸部分を収容するための容積を規定する一対の長手方向溝を有する、請求項１または２に記載の骨アンカー。
【請求項４】
前記第１のアーム（５）および第２のアーム（６）が、前記軸方向スリット（７）の範囲を定めるためのそれぞれの半径方向内壁（５ｃ、６ｃ）を有し、前記それぞれの半径方向内壁（５ｃ、６ｃ）は、互いに向かい合っており、互いに離れるように延びるそれぞれの傾斜した端壁（１２、１３）を有し、前記縫合糸（Ｓ）または靭帯が前記スリット（７）に適合するためのガイドを規定する、請求項１から３のいずれか１項に記載の骨アンカー。
【請求項５】
前記半径方向内壁（５ｃ、６ｃ）が、一対の軸方向保持歯（１４）を有し、前記一対の軸方向保持歯（１４）は、前記スリット（７）に収容された前記縫合糸（Ｓ）または靭帯の抜け落ちに対抗するために、互いに向かい合っており、前記傾斜した端壁（１２、１３）に配置されている、請求項４に記載の骨アンカー。
【請求項６】
前記傾斜した端壁（１２、１３）が、少なくともそれぞれの隣接する縁部において、相補的な波状パターンを有する、請求項４または５に記載の骨アンカー。
【請求項７】
前記本体（２）が、前記長手方向軸（Ａ）に沿って連続して配置された複数の把持要素（３ａ）を備えた周辺プロファイルを有する固定部分（３）を備える、請求項１から６のいずれか１項に記載の骨アンカー。
【請求項８】
前記固定部分（３）が鋸歯の周辺プロファイルを備えて実質的に円筒形に延びる、請求項７に記載の骨アンカー。
【請求項９】
縫合糸または靭帯を骨に固定するための装置であって、
ハンドルと、操作ロッドであって、それ自体の主方向に沿って延びる操作ロッドと、を備える操作部材と、
前記操作ロッドの自由端に取り外し可能に取り付けられた、請求項１から８のいずれか１項に記載の骨アンカー（１）と、を備える装置。
【発明の詳細な説明】
【技術分野】
【０００１】
本発明は、縫合糸または靭帯を取り付けるための骨アンカーに関する。
【０００２】
したがって、本発明は、外科手術の分野、特に関節鏡による外科手術の分野において、縫合糸または靭帯を患者の骨支持体に（永久的または一時的に）取り付けるための装置として適用可能である。
【背景技術】
【０００３】
従来技術では、「アンカー」と呼ばれる装置が知られており、これは、前もって除去または移動された軟組織を患者の骨に固定する必要があるときに外科医によって使用される。
【０００４】
そのようなアンカーは、一般に、縫合糸を受け入れるためのスリットを備えた第１の端部と、操作装置に結合可能な第２の端部とを有する小さなプラグによって規定される。
【０００５】
特に、現在市場に出ているアンカーでは、第１の端部は実際には、フォークによって規定され、フォークの内部に外科医が縫合糸を挿入でき、縫合糸は、取り付けに適した位置に至ると、骨に適切に形成された穴、またはミリング（milling）の内部に圧力下で挿入される。
【０００６】
より正確には、縫合糸は、外科医によって容易にアクセス可能または目に見える領域で向きを変えられ（forked）、その後、前述の「適した位置」に到達するまで、アンカーが糸に沿ってスライドさせられる。
【０００７】
この時点で、アンカーは縫合糸（または靭帯）と一緒に穴に挿入され、それに取り付けられた関連する軟組織が骨に拘束される。
【０００８】
しかしながら、関節鏡による外科手術中の作業環境は、通常、除去／移動される多数の組織の存在と、手術部位に注入された流体（生理食塩水など）および身体の流体の存在との両方により、非常に「乱されて」おり、縫合糸の取り扱いを困難にする。
【０００９】
特に、様々な種類の流体の存在は、縫合糸を変動させる傾向があり、それにより、アンカーが縫合糸に沿ってスライドする間、把持することが困難になり、とりわけ、保持することが困難になる。
【００１０】
これは明らかに、手術時間の増加と、手術の最後に、簡単なはずの作業の段階で困難に直面する外科医の役割に対するかなりのストレスにつながる。
【発明の概要】
【００１１】
したがって、本発明の目的は、前述の既知の技術の欠点を克服することができる、縫合糸または靭帯を取り付けるための骨アンカーを提供することである。
【００１２】
特に、本発明の目的は、取り扱いが容易であり且つ縫合糸（または靭帯）の保持を容易にする、縫合糸または靭帯を取り付けるための骨アンカーを提供することである。
【００１３】
前記目的は、以下の特許請求の範囲の請求項の１または複数の技術的特徴を有する、縫合糸または靭帯を固定するための骨アンカーによって達成される。
【００１４】
特に、そのような目的は、長手方向軸に沿って延在する本体であって、フォーク状の端部を有する本体を含む、縫合糸または靭帯を取り付けるための骨アンカーによって達成される。
【００１５】
端部は、各々が拘束端と自由端との間に延在し、縫合糸を受け入れるための軸方向スリットによって離間された第１および第２のフォークアームを備える。
【００１６】
本発明の一態様によれば、第１および第２のフォークアームは、それらの拘束端に、前記縫合糸のための２つの軸方向保持ショルダーを規定する横方向のノッチを有する。
【００１７】
有利なことに、このようにして、外科医は、単に、フォークアームの間で糸の方向を変え、アンカーをその長手方向軸周りに回転させることによって、スリット内に縫合糸を保持することができる。
【００１８】
この回転は、バヨネットと同様の効果で、横方向のノッチの少なくとも１つの内側に糸を位置決めすることを伴い、その保持ショルダーは、糸の軸方向の動き（したがって抜け落ち（escape））に対抗する。
【００１９】
好ましくは、第１および第２のアームは、「Ｌ」または「Ｊ」構造を有する。したがって、「Ｌ」のベースまたは「Ｊ」のフックの上の領域は、横方向のノッチに対応する。
【００２０】
好ましくは、第１および第２のアームはそれぞれ、第１および第２の側縁部によって区切られた長手方向軸を横切る延長部を有する。
【００２１】
これらのアームは、第１の側縁部と第２の側縁部が互いに向き合うように配置される。
【００２２】
好ましくは、第１のアームの横方向ノッチは、第１の側縁部から第２の側縁部の方向に延在し、第２のアームの横方向ノッチは、第２の側縁部から第１の側縁部の方向に延在する。
【００２３】
したがって、２つのフォークアームは、長手方向軸に対して実質的に極対称に配置されている。言い換えると、２つのフォークアームは反対の「Ｌ」または「Ｊ」形状を持つ、すなわち、逆向きである。
【００２４】
有利なことに、このようにして、その長手方向軸周りのアンカーの単一の回転で、縫合糸は、両方の横方向のノッチに適合して、両方のアームを囲む。
【図面の簡単な説明】
【００２５】
これらおよび他の特徴は、それらの利点とともに、添付図面に示すように、以下の例示的な、したがって非限定的な、好ましい、したがって非排他的な、縫合糸または靭帯を取り付けるための骨アンカーの実施形態の説明からより明確になるであろう。
【図１−２】本発明による縫合糸または靭帯を取り付けるための骨アンカーの２つの斜視図を示す。
【図３−４】図１および２の骨アンカーの２つの９０°オフセットした側面図を示す。
【発明を実施するための形態】
【００２６】
添付図を参照して、参照番号１は、本発明による縫合糸「Ｓ」または靭帯を取り付けるための骨アンカーを示す。
【００２７】
このようなアンカーは、前述のように、アンカー装置によって軟組織を患者の骨に固定するために使用され、アンカー装置は、操作部材を備え、操作部材は、ハンドルと、操作ロッドであって、それ自体の主方向に沿ってその自由端まで延びる操作ロッドとを含み、その自由端にアンカー１は取り外し可能に取り付けられる。
【００２８】
アンカー１は、長手方向軸「Ａ」に沿って延びる本体２を備える。
【００２９】
本体２は、患者の骨に移植できるように、ＰＥＥＫ（ポリエーテルエーテルケトン）でできている。
【００３０】
本体２は、その長手方向軸「Ａ」に沿って、固定部分３と端部４との間で延びる。
【００３１】
したがって、固定部分３および端部４は、前記長手方向軸「Ａ」に沿って連続して配置される（および位置合わせされる）。
【００３２】
固定部分３は、前記長手方向軸「Ａ」に沿って連続して配置された複数のクランプ要素３ａを備えた周辺プロファイルを有する。
【００３３】
言い換えれば、固定部分３の（長手方向軸「Ａ」に対して）半径方向の周囲に沿って、患者の骨に形成された穴またはミリングの側壁に干渉または摩擦によって固定するために、長手方向軸から見て外方に向く複数のクランプ要素３ａが存在する。
【００３４】
そのようなクランプ要素３ａは、好ましくは、アンカー１の保持作用を複数の点に分配し、アンカー１を様々な深さの穴に適合させるように、長手方向軸「Ａ」に沿って分配される。
【００３５】
好ましい実施形態では、固定部分３は、周辺鋸歯状プロファイルを有する、長手方向軸「Ａ」に沿って実質的に円筒形の延長部を有し、各歯はクランプ部材３ａを規定する。
【００３６】
さらに、固定部分３は、操作装置と結合することができる端部を有する。好ましい実施形態では、固定部分３の端部は、操作装置のピンと結合することができる軸方向開口部を有するが、あるいは、そのような装置との結合システムは、それら自体が既知の別のタイプのものであり得る。
【００３７】
本体２の端部４は、固定部分３から長手方向軸「Ａ」に沿って延在し、好ましくは固定部分３と一体に形成されている。
【００３８】
端部４は、拘束端５ａ、６ａと自由端５ｂ、６ｂとの間にそれぞれ延びる第１のフォークアーム５および第２のフォークアーム６を備える。
【００３９】
各フォークアーム５、６の拘束端５ａ、６ａは、好ましくは、本体２の固定部分３（またはいずれの場合もそのような本体のさらなる部分）に拘束されていると理解されるべきである。
【００４０】
そのような第１のアーム６および第２のアーム６は、フォーク構造を規定し、したがって、縫合糸「Ｓ」を受け入れるための軸方向スリット７によって離間されている。
【００４１】
言い換えれば、第１のフォークアーム５および第２のフォークアーム６は互いに向き合い、長手方向軸「Ａ」に直交する第１の方向に沿って間隔を置いて配置され、その結果、第１の方向および長手方向軸「Ａ」に直交する第２の方向に沿って、スリット７を規定する貫通ルーメンが規定される。使用中、外科医が縫合糸「Ｓ」の「向きを変える」ときに、前記貫通ルーメンに縫合糸「Ｓ」が通される。
【００４２】
本発明の一態様によれば、第１のフォークアーム５および第２のフォークアーム６は、それらの拘束端５ａ、６ａにおいて、各アーム５、６において縫合糸「Ｓ」のための２つの軸方向保持ショルダー８ａ、９ａを規定する横方向のノッチ８、９を有する。
【００４３】
換言すれば、長手方向に延びる各アーム５、６は、拘束端５ａ、６ａにおいて、縮小された幅の部分または制限部を決定する横方向（または円周方向）のノッチを有する。
【００４４】
したがって、第１のアーム５および第２のアーム６は、拘束端５ａ、６ａから自由端５ｂ、６ｂまで、「Ｌ」または「Ｊ」構造を有する。
【００４５】
より正確には、「Ｌ」または「Ｊ」のステムは制限部に対応し、一方、ベースは、第１のアーム５または第２のアーム６の自由端５ａ、６ｂに対応する。
【００４６】
第１のアーム５および第２のアーム６はそれぞれ、第１の側縁部１０と第２の側縁部１１との間で長手方向軸を横切って（すなわち、前記第２の方向に沿って）延びることに留意されたい。
【００４７】
フォークアーム５、６は、第１の側縁部１０および第２の側縁部１１が互いに向き合うように配置される。
【００４８】
言い換えれば、第１のアーム５の第１の縁部１０は、第２のアーム６の第１の縁部１０と（前記第１の方向に沿って）位置合わせされ、第１のアーム５の第２の縁部１１は、第２のアーム６の第２の縁部１１と位置合わせされる。
【００４９】
本発明の好ましい態様によれば、第１のアーム５の横方向のノッチ８は、第１の側縁部１０から第２の側縁部１１の方向に延在し、第２のアーム６の横方向のノッチ９は、第２の側縁部１１から第１の側縁部１０の方向に延在する。
【００５０】
換言すれば、長手方向軸「Ａ」周りの環状移動方向を規定することによって、第１のフォークアーム５および第２のフォークアーム６は、前記方向と一致した向きを有する。
【００５１】
より具体的には、２つのフォークアーム５、６は、長手方向軸「Ａ」に対して実質的に極対称に配置されている。
【００５２】
有利なことに、このようにして、外科医によるその長手方向軸「Ａ」周りのアンカーの単一の回転で、縫合糸「Ａ」は、両方の横方向のノッチ８、９に挿入されて、両方のアーム５、６を囲む。
【００５３】
さらに、この構造により、縫合糸「Ｓ」は、軸方向スリット７の内側で、軸方向の保持を容易にする波状（またはＳ字型）パターンをとるようになる。
【００５４】
好ましい実施形態では、第１のアーム５および第２のアーム６は、前記軸方向スリット７の範囲を定めるように互いに向き合うそれぞれの半径方向内面５ｃ、６ｃを有する。
【００５５】
半径方向内面５ｃ、６ｃは両方とも、互いに離れるように延びるそれぞれの傾斜した端壁１２、１３を備える。
【００５６】
したがって、そのような傾斜した端壁１２、１３は、縫合糸「Ｓ」がスリット７に留まるためのフレアまたはガイドを規定する。
【００５７】
好ましい実施形態では、第１のアーム５および第２のアーム６の半径方向内壁５ｃ、６ｃは、スリット７に収容された縫合糸「Ｓ」の抜け落ちに対抗するために、互いに向き合い且つ前記傾斜した端壁１２、１３に配置された一対の軸方向保持歯１４を有する。
【００５８】
言い換えれば、軸方向保持歯１４は、傾斜した壁１２、１３のそれぞれの近接縁部１４ａを規定し、そこにおいて、軸方向スリット７は、（第１の方向に沿って測定される）最小幅を有する。
【００５９】
有利なことに、実際には、アーム５、６の拘束端５ａ、６ａと軸方向保持歯１４との間に配置された軸方向スリット部分７は、前記歯の間の距離よりも大きい幅（第１の方向に沿って）を有し、歯の各々は、縫合糸「Ａ」のための当接ショルダーを規定する。
【００６０】
好ましくは、さらに、傾斜した端壁１２、１３は、少なくとも前記近接縁部１４ａにおいて、相補的な波状パターンを有する。
【００６１】
有利なことに、このように、最小幅部分においてさえ、スリット７は線形ルーメンを有さず、縫合糸「Ｓ」の偶発的な軸方向の抜け落ちをさらにより困難にし、アンカー１から離れるには、正確にその波状形状をとらなければならない。
【００６２】
好ましくは、さらに、図示されていない実施形態を参照すると、本体２は、第１のアーム５および第２のアーム６の拘束端５ａ、６ａをそれらから離れるよう分岐する一対の長手方向溝を有する。
【００６３】
したがって、そのような長手方向溝は、本体２の固定部分３に形成され、前記スリット７から突出する縫合糸部分「Ｓ」のハウジング容積を規定する。
【００６４】
有利なことに、このようにして、縫合糸「Ｓ」は、破損や摩耗が発生する可能性のある位置である、アンカーと骨との間の点にそれ自体を配置することなく、部分的にスリット７に、および部分的に溝に、アンカーの半径方向寸法に完全に収容される。
【００６５】
本発明はその意図された目的を達成し、したがって重要な利点が得られる。
【００６６】
実際、フォークアームに横方向のノッチがあると、糸を軸方向に保持することが可能であり、ノッチがない場合には、それは不可能ではないにしても困難である。
【００６７】
さらに、逆向き（または極対称）のアームの配置により、縫合糸の軸方向の保持が最大化される。
【００６８】
さらに、保持歯を備えたフレア端部の軸方向スリットへの導入は、縫合糸の抜け落ちの防止を再び可能にし、特徴はそのような保持歯で相補的な方法での波状縁部の配置によってさらに最大化される。
【図１】
2021536334.tif 000003
【図２】
2021536334.tif 000004
【図３】
2021536334.tif 000005
【図４】
2021536334.tif 000006
【国際調査報告】
2021536334.tif 000007
2021536334.tif 000008
2021536334.tif 000009